(57)【要約】【課題】めっき液の浸入を抑えて絶縁抵抗不良の発生を抑制できる貫通コンデンサを提供する。【解決手段】貫通コンデンサ１では、信号用内部電極６の第１連結部１３Ａの幅が第１主電極部１１Ａ及び第１引出部１２Ａの幅よりも狭くなっている。これにより、素体２の端面にめっき層を形成する際、幅狭な第１連結部１３Ａによってめっき液が信号用内部電極６の第１主電極部１１Ａに到達することを抑制できる。また、貫通コンデンサ１では、第２連結部１３Ｂの幅が第１連結部１３Ａの幅と略同等になっている。これにより、幅狭な第２連結部１３Ｂによってめっき液が接地用内部電極の第２主電極部１１Ｂに到達することを抑制できる。さらに、仮にめっき液が浸入した場合であっても、第１主電極部１１Ａへのめっき液の到達時間と第２主電極部１１Ｂへのめっき液の到達時間とを揃えることが可能となる。【選択図】図３
2013008842.tif 000002
【特許請求の範囲】
【請求項１】
誘電体層を積層してなる素体と、
前記素体内に交互に配置された信号用内部電極及び接地用内部電極と、
前記素体において互いに対向する第１端面にそれぞれ配置され、前記信号用内部電極によって電気的に接続された端子電極と、
前記素体において前記第１端面と交差する方向で互いに対向する第２端面にそれぞれ配置され、前記接地用内部電極によって電気的に接続された接地電極と、を備えた貫通コンデンサであって、
前記端子電極と前記接地電極とは、単層又は複数層のめっき層からなり、
前記信号用内部電極は、隣接する接地用内部電極と対向する第１主電極部と、前記第１端面に露出する第１引出部と、前記第１主電極部と前記第１引出部とを連結する第１連結部とを有し、
前記接地用内部電極は、隣接する信号用内部電極と対向する第２主電極部と、前記第２端面に露出する第２引出部と、前記第２主電極部と前記第２引出部とを連結する第２連結部とを有し、
前記第１連結部の幅は、前記第１引出部及び前記第１主電極部の幅よりも狭くなっており、
前記第２連結部の幅は、前記第１連結部の幅と略同等になっていることを特徴とする貫通コンデンサ。
【請求項２】
前記第１連結部は、互いに離間して複数設けられていることを特徴とする請求項１記載の貫通コンデンサ。
【請求項３】
前記第２連結部は、互いに離間して複数設けられていることを特徴とする請求項１又は２記載の貫通コンデンサ。
【請求項４】
前記第１引出部は、前記第１連結部に連結される第１の部分と、前記第１の部分から離間した第２の部分とを有していることを特徴とする請求項１〜３のいずれか一項記載の貫通コンデンサ。
【請求項５】
前記第２引出部は、前記第２連結部に連結される第１の部分と、前記第１の部分から離間した第２の部分とを有していることを特徴とする請求項１〜４のいずれか一項記載の貫通コンデンサ。
【発明の詳細な説明】
【技術分野】
【０００１】
本発明は、貫通コンデンサに関する。
【背景技術】
【０００２】
従来の貫通コンデンサとして、例えば特許文献１に記載の貫通コンデンサがある。この貫通コンデンサは、素体内に交互に配置された信号用内部電極及び接地用内部電極を備えている。これらの信号用内部電極及び接地用内部電極は、素体内を貫通するように存在しており、素体の端面において互いに対向に配置された端子電極及び接地電極を連結する構成となっている。
【先行技術文献】
【特許文献】
【０００３】
【特許文献１】実開昭５８−８９９２６号公報
【発明の概要】
【発明が解決しようとする課題】
【０００４】
ところで、上述したような貫通コンデンサでは、所定の内部電極パターンを形成したグリーンシートを積層及び焼成して素体を得た後、所定のめっき液を用いて素体の端面にめっき層を形成し、これを端子電極及び接地電極としている。このめっき層の形成の際、素体の端面から信号用内部電極側及び接地用内部電極側にめっき液が浸入すると、絶縁抵抗不良が生じる場合がある。
【０００５】
本発明は、上記課題の解決のためになされたものであり、めっき液の浸入を抑えて絶縁抵抗不良の発生を抑制できる貫通コンデンサを提供することを目的とする。
【課題を解決するための手段】
【０００６】
上記課題の解決のため、本発明に係る貫通コンデンサは、誘電体層を積層してなる素体と、素体内に交互に配置された信号用内部電極及び接地用内部電極と、素体において互いに対向する第１端面にそれぞれ配置され、信号用内部電極によって電気的に接続された端子電極と、素体において第１端面と交差する方向で互いに対向する第２端面にそれぞれ配置され、接地用内部電極によって電気的に接続された接地電極と、を備えた貫通コンデンサであって、端子電極と前記接地電極とは、単層又は複数層のめっき層からなり、信号用内部電極は、隣接する接地用内部電極と対向する第１主電極部と、第１端面に露出する第１引出部と、第１主電極部と第１引出部とを連結する第１連結部とを有し、接地用内部電極は、隣接する信号用内部電極と対向する第２主電極部と、第２端面に露出する第２引出部と、第２主電極部と第２引出部とを連結する第２連結部とを有し、第１連結部の幅は、第１引出部及び第１主電極部の幅よりも狭くなっており、第２連結部の幅は、第１連結部の幅と略同等になっていることを特徴としている。
【０００７】
この貫通コンデンサでは、信号用内部電極の第１連結部の幅が第１主電極部及び第１引出部の幅よりも狭くなっている。これにより、素体の端面にめっき層を形成する際、幅狭な第１連結部によってめっき液が信号用内部電極の第１主電極部に到達することを抑制でき、絶縁抵抗不良の発生を抑制できる。また、この貫通コンデンサでは、第２連結部の幅が第１連結部の幅と略同等になっている。これにより、幅狭な第２連結部によってめっき液が接地用内部電極の第２主電極部に到達することを抑制でき、絶縁抵抗不良の発生を抑制できる。さらに、仮にめっき液が浸入した場合であっても、第１主電極部へのめっき液の到達時間と第２主電極部へのめっき液の到達時間とを揃えることが可能となる。
【０００８】
また、第１連結部は、互いに離間して複数設けられていることが好ましい。この場合、個々の第１連結部の幅がより小さくなるので、第１主電極部へのめっき液の浸入をより確実に抑制できる。
【０００９】
また、第２連結部は、互いに離間して複数設けられていることが好ましい。この場合、個々の第２連結部の幅がより小さくなるので、第２主電極部へのめっき液の浸入をより確実に抑制できる。
【００１０】
また、第１引出部は、第１連結部に連結される第１の部分と、第１の部分から離間した第２の部分とを有していることが好ましい。この場合、第２の部分によって素体の表面に露出する第１引出部の面積を確保できるので、第１引出部を覆うめっき層の固着強度を向上できる。また、第１の部分を細くすることで、めっき液の浸入をより確実に抑制できる。
【００１１】
また、第２引出部は、第２連結部に連結される第１の部分と、第１の部分から離間した第２の部分とを有していることが好ましい。この場合、第２の部分によって素体の表面に露出する第２引出部の面積を確保できるので、第２引出部を覆うめっき層の固着強度を向上できる。また、第１の部分を細くすることで、めっき液の浸入をより確実に抑制できる。
【発明の効果】
【００１２】
本発明によれば、めっき液の浸入を抑えて絶縁抵抗不良の発生を抑制できる。
【図面の簡単な説明】
【００１３】
【図１】本発明の第１実施形態に係る貫通コンデンサを示す斜視図である。
【図２】図１に示した貫通コンデンサの層構造を示す断面図である。
【図３】図１に示した貫通コンデンサの内部電極のパターンを示す図である。
【図４】本発明の第２実施形態に係る貫通コンデンサを示す斜視図である。
【図５】図４に示した貫通コンデンサの内部電極のパターンを示す図である。
【図６】本発明の第３実施形態に係る貫通コンデンサを示す斜視図である。
【図７】図６に示した貫通コンデンサの内部電極のパターンを示す斜視図である。
【発明を実施するための形態】
【００１４】
以下、図面を参照しながら、本発明に係る貫通コンデンサの好適な実施形態について詳細に説明する。なお、図面中、同一要素には同一符号を付すこととし、重複する説明は省略する。また、図面の寸法比率は図示の比率に限られるものではない。
［第１実施形態］
【００１５】
図１は、本発明の第１実施形態に係る貫通コンデンサを示す斜視図である。また、図２は、図１に示した貫通コンデンサの層構造を示す断面図である。図１及び図２に示すように、貫通コンデンサ１は、素体２と、一対の端子電極３と、一対の接地電極４と、信号用内部電極６と、接地用内部電極７とを備えて構成されている。
【００１６】
素体２は、図２に示すように、複数の誘電体層５が積層されて形成され、略直方体形状をなしている。誘電体層５は、例えばＢａＴｉＯ３系、Ｂａ（Ｔｉ，Ｚｒ）Ｏ３系、（Ｂａ，Ｃａ）ＴｉＯ３系といった電歪特性を有する誘電体材料によって形成されている。
【００１７】
端子電極３は、素体２における長手方向の端面（第１端面）２ａと、端面２ａと直交する端面（第２端面）２ｂの端部とにわたって形成され、互いに対向した状態となっている。端子電極３は、複数のめっき層によって多層化されており、素体２に接する内側のめっき層には、例えばＣｕ、Ｎｉなどが用いられ、外側のめっき層には、例えばＡｇ、Ｓｎなどが用いられる。
【００１８】
接地電極４は、素体２において、端面２ａと直交する端面２ｂの略中央部分にそれぞれ形成され、互いに対向した状態となっている。接地電極４は、端子電極３と同様に、複数のめっき層によって多層化されている。接地電極４は、素体２の表面において、端子電極３とは互いに電気的に絶縁されている。
【００１９】
信号用内部電極６及び接地用内部電極７は、素体２内において、少なくとも１層の誘電体層５を挟むようにして交互に積層されている。信号用内部電極６と接地用内部電極７との間に介在する誘電体層５の厚さは、例えば１〜５μｍ程度に薄層化されている。
【００２０】
信号用内部電極６は、図３（ａ）に示すように、接地用内部電極７の第２主電極部１１Ｂと対向する第１主電極部１１Ａと、素体２の端面２ａに露出する第１引出部１２Ａと、第１主電極部１１Ａと第１引出部１２Ａとを連結する第１連結部１３Ａとを有し、素体２を長手方向に貫通して端子電極３，３同士を電気的に接続している。
【００２１】
第１主電極部１１Ａは、素体２の長手方向に矩形に延在している。第１引出部１２Ａは、素体２の端面２ａ側の中央部分に延在しており、第１連結部１３Ａに連結された第１の部分１２Ａ１と、第１の部分１２Ａ１から離間してその両脇にそれぞれ配置された第２の部分１２Ａ２とを有している。第１連結部１３Ａは、第１引出部１２Ａの第１の部分１２Ａ１と略等幅で、第１主電極部１１Ａの中央部分を第１引出部１２Ａに連結している。なお、第１引出部１２Ａの幅とは、第１の部分１２Ａ１と第２の部分１２Ａ２とを合わせた幅を指し、第１の部分１２Ａ１と第２の部分１２Ａ２との間の幅は含まないものとする。
【００２２】
信号用内部電極６と同層には、ダミー電極１４Ｂが形成されている。ダミー電極１４Ｂは、素体２の端面２ｂ側の中央部分に延在し、接地電極４にのみ接続されている。
【００２３】
接地用内部電極７は、図３（ｂ）に示すように、信号用内部電極６の第１主電極部１１Ａと対向する第２主電極部１１Ｂと、素体２の端面２ｂに露出する第２引出部１２Ｂと、第２主電極部１１Ｂと第２引出部１２Ｂとを連結する第２連結部１３Ｂとを有し、素体２を幅方向に貫通して接地電極４，４同士を電気的に接続している。
【００２４】
第２主電極部１１Ｂは、第１主電極部１１Ａと略同等の面積で素体２の長手方向に矩形に延在している。第２引出部１２Ｂは、第２主電極部１１Ｂの幅よりも小さい幅で素体２の端面２ｂ側の中央部分に延在している。第２引出部１２Ｂは、第２連結部１３Ｂに連結された第１の部分１２Ｂ１と、第１の部分１２Ｂ１から離間してその両脇にそれぞれ配置された第２の部分１２Ｂ２とを有している。第２連結部１３Ｂは、第１引出部１２Ａの第１の部分１２Ａ１、第２引出部１２Ｂの第１の部分１２Ｂ１、及び第１連結部１３Ａと略等幅で、第２主電極部１１Ｂの中央部分を第２引出部１２Ｂに連結している。なお、第１引出部１２Ｂの幅とは、第１の部分１２Ｂ１と第２の部分１２Ｂ２とを合わせた幅を指し、第１の部分１２Ｂ１と第２の部分１２Ｂ２との間の幅は含まないものとする。
【００２５】
接地用内部電極７と同層には、ダミー電極１４Ｄが形成されている。ダミー電極１４Ｄは、素体２の端面２ａ側に素体２と等幅で延在し、端子電極３にのみ接続されている。
【００２６】
なお、信号用内部電極６及び接地用内部電極７の外層には、保護層８と保護層９とが更に積層されている。図３（ｃ）に示すように、保護層８には、ダミー電極１４Ｅ，１４Ｆが形成されている。ダミー電極１４Ｅは、ダミー電極１４Ｄと同様に、素体２の端面２ａ側に素体２と等幅で延在し、端子電極３にのみ接続されている。ダミー電極１４Ｆは、ダミー電極１４Ｂと同様に、素体２の端面２ｂ側の中央部分に延在し、接地電極４にのみ接続されている。一方、図３（ｄ）に示すように、保護層９には、ダミー電極は形成されておらず、誘電体層５のみで形成されている。
【００２７】
以上説明したように、この貫通コンデンサ１では、信号用内部電極６の第１連結部１３Ａの幅が第１主電極部１１Ａ及び第１引出部１２Ａの幅よりも狭くなっている。これにより、素体２の端面にめっき層を形成する際、幅狭な第１連結部１３Ａによってめっき液が信号用内部電極６の第１主電極部１１Ａに到達することを抑制でき、絶縁抵抗不良の発生を抑制できる。
【００２８】
また、貫通コンデンサ１では、第２連結部１３Ｂの幅が第１連結部１３Ａの幅と略同等になっている。これにより、幅狭な第２連結部１３Ｂによってめっき液が接地用内部電極の第２主電極部１１Ｂに到達することを抑制でき、絶縁抵抗不良の発生を抑制できる。さらに、仮にめっき液が浸入した場合であっても、第１主電極部１１Ａへのめっき液の到達時間と第２主電極部１１Ｂへのめっき液の到達時間とを揃えることが可能となる。これにより、絶縁抵抗の低下のばらつきを低減できる。
［第２実施形態］
【００２９】
図４は、本発明の第２実施形態に係る貫通コンデンサを示す斜視図である。また、図５は、図４に示した貫通コンデンサの信号用内部電極及び接地用内部電極の電極パターンを示す図である。同図に示すように、第２実施形態の貫通コンデンサ２１では、各内部電極の電極パターンが第１実施形態の貫通コンデンサ１と異なっている。また、これに伴い、端子電極２３は、素体２における長手方向の端面２ａの中央部分に矩形に形成されている。
【００３０】
信号用内部電極２６は、図５（ａ）に示すように、接地用内部電極２７の第２主電極部３１Ｂと対向する第１主電極部３１Ａと、素体２の端面２ａに露出する第１引出部３２Ａと、第１主電極部３１Ａと第１引出部３２Ａとを連結する第１連結部３３Ａとを有し、素体２を長手方向に貫通して端子電極３，３同士を電気的に接続している。
【００３１】
第１主電極部３１Ａは、素体２の長手方向に矩形に延在している。第１引出部３２Ａは、第１主電極部３１Ａと略同等の幅で素体２の端面２ａ側の中央部分に延在している。第１連結部３３Ａは、第１主電極部３１Ａ及び第１引出部３２Ａよりも狭い幅で２箇所に分離して設けられ、第１主電極部３１Ａの幅方向の両端部分と第１引出部３２Ａの幅方向の両端部分とを連結している。
【００３２】
信号用内部電極２６と同層には、ダミー電極３４Ａが形成されている。ダミー電極３４Ａは、素体２の端面２ｂ側の中央部分に延在し、接地電極４にのみ接続されている。
【００３３】
接地用内部電極２７は、図５（ｂ）に示すように、信号用内部電極２６の第１主電極部３１Ａと対向する第２主電極部３１Ｂと、素体２の端面２ｂに露出する第２引出部３２Ｂと、第２主電極部３１Ｂと第２引出部３２Ｂとを連結する第２連結部３３Ｂとを有し、素体２を幅方向に貫通して接地電極４，４同士を電気的に接続している。
【００３４】
第２主電極部３１Ｂは、第１主電極部３１Ａと略同等の面積で素体２の長手方向に矩形に延在している。第２引出部３２Ｂは、第２主電極部３１Ｂの幅よりも狭い幅で素体２の端面２ｂ側の中央部分に延在している。第２連結部３３Ｂは、第１連結部３３Ａと略等幅で２箇所に分離して設けられ、第２主電極部３１Ｂの中央部分を第２引出部３２Ｂの両端部分に連結している。
【００３５】
接地用内部電極２７と同層には、ダミー電極３４Ｂが形成されている。ダミー電極３４Ｂは、素体２の端面２ａ側に第２主電極部３１Ｂと等幅で延在し、端子電極３にのみ接続されている。
【００３６】
なお、信号用内部電極２６及び接地用内部電極２７の外層には、保護層２８と保護層２９とが更に積層されている。保護層２８には、ダミー電極３４Ｃ，３４Ｄが形成されている。図５（ｃ）に示すように、ダミー電極３４Ｃは、ダミー電極３４Ｂと同様に、素体２の端面２ａ側の中央部分に延在し、端子電極３にのみ接続されている。ダミー電極３４Ｄは、ダミー電極３４Ａと同様に、素体２の端面２ｂ側の中央部分に延在し、接地電極４にのみ接続されている。図５（ｄ）に示すように、保護層２９には、ダミー電極は形成されておらず、誘電体層５のみで形成されている。
【００３７】
このような構成においても、第１実施形態と同様の作用効果を奏することができる。また、幅狭な第１連結部３３Ａ及び第２連結部３３Ｂを２箇所に分離して設けることで、第１主電極部３１Ａ及び第２主電極部３１Ｂへのめっき液の浸入を更に抑制することが可能となる。したがって、絶縁抵抗不良の発生をより確実に抑制できる。
［第３実施形態］
【００３８】
図６は、本発明の第３実施形態に係る貫通コンデンサを示す斜視図である。また、図７は、図６に示した貫通コンデンサの信号用内部電極及び接地用内部電極の電極パターンを示す図である。第３実施形態の貫通コンデンサ４１では、各内部電極の電極パターンが更に第１実施形態と異なっている。これに伴い、端子電極４３は、端子電極２３と同様に、素体２における長手方向の端面２ａの中央部分に矩形に形成されている。
【００３９】
信号用内部電極４６は、図７（ａ）に示すように、接地用内部電極４７の第２主電極部５１Ｂと対向する第１主電極部５１Ａと、素体２の端面２ａに露出する第１引出部５２Ａと、第１主電極部５１Ａと第１引出部５２Ａとを連結する第１連結部５３Ａとを有し、素体２を長手方向に貫通して端子電極３，３同士を電気的に接続している。
【００４０】
第１主電極部５１Ａは、素体２の長手方向に矩形に延在している。第１引出部５２Ａは、素体２の端面２ａ側の中央部分に位置しており、第１主電極部５１Ａよりも狭い幅で５箇所に分離して設けられ、第１連結部５３Ａに連結された３つの第１の部分５２Ａ１と、第１の部分５２Ａ１間にそれぞれ配置された２つの第２の部分５２Ａ２とを有している。第１連結部５３Ａは、第１引出部５２Ａの第１の部分５２Ａ１と略等幅で３箇所に分離して設けられ、第１主電極部５１Ａの中央部分と幅方向の両端部分とを第１引出部５２Ａに連結している。なお、第１引出部５２Ａの幅とは、第１の部分５２Ａ１と第２の部分５２Ａ２とを合わせた幅を指し、第１の部分５２Ａ１と第２の部分５２Ａ２との間の幅は含まないものとする。
【００４１】
信号用内部電極４６と同層には、ダミー電極５４Ｂが形成されている。ダミー電極５４Ｂは、素体２の端面２ｂ側の中央部分に延在し、接地電極４にのみ接続されている。
【００４２】
接地用内部電極４７は、図７（ｂ）に示すように、信号用内部電極４６の第１主電極部５１Ａと対向する第２主電極部５１Ｂと、素体２の端面２ｂに露出する第２引出部５２Ｂと、第２主電極部５１Ｂと第２引出部５２Ｂとを連結する第２連結部５３Ｂとを有し、素体２を幅方向に貫通して接地電極４，４同士を電気的に接続している。
【００４３】
第２主電極部５１Ｂは、第１主電極部５１Ａと略同等の面積で素体２の長手方向に矩形に延在している。第２引出部５２Ｂは、素体２の端面２ｂ側の中央部分に位置しており、第２主電極部５１Ｂの幅よりも狭い幅で５箇所に分離して設けられ、第２連結部５３Ｂに連結された２つの第１の部分５２Ｂ１と、第１の部分５２Ｂ１，５２Ｂ１間と第１の部分５２Ｂ１の外側とに３箇所に分離して設けられた３つの第２の部分５２Ｂ２とを有している。第２連結部５３Ｂは、第２引出部５２Ｂの第１の部分５２Ｂ１及び第１連結部５３Ａと略等幅で２箇所に分離して設けられ、第２主電極部５１Ｂの中央部分を第２引出部５２Ｂにそれぞれ連結している。なお、第２引出部５２Ｂの幅とは、第１の部分５２Ｂ１と第２の部分５２Ｂ２とを合わせた幅を指し、第１の部分５２Ｂ１と第２の部分５２Ｂ２との間の幅は含まないものとする。
【００４４】
接地用内部電極４７と同層には、ダミー電極５４Ｄが形成されている。ダミー電極５４Ｄは、素体２の端面２ａ側に第２主電極部５１Ｂと等幅で延在し、端子電極３にのみ接続されている。
【００４５】
なお、信号用内部電極４６及び接地用内部電極４７の外層には、保護層４８と保護層４９とが更に積層されている。図７（ｃ）に示すように、保護層４８には、ダミー電極５４Ｅ，５４Ｆが形成されている。ダミー電極５４Ｅは、ダミー電極５４Ｂと同様に、素体２の端面２ａ側の中央部分に延在し、端子電極３にのみ接続されている。ダミー電極５４Ｆは、素体２の端面２ｂ側の中央部分に延在し、接地電極４にのみ接続されている。図７（ｄ）に示すように、保護層４９には、ダミー電極は形成されておらず、誘電体層５のみで形成されている。
【００４６】
このような構成においても、第１実施形態と同様の作用効果を奏することができる。また、幅狭な第１連結部５３Ａ及び第２連結部５３Ｂを複数箇所に分離して設けることで、第１主電極部５１Ａ及び第２主電極部５１Ｂへのめっき液の浸入を更に抑制することが可能となる。したがって、絶縁抵抗不良の発生をより確実に抑制できる。
【符号の説明】
【００４７】
１，２１，４１…貫通コンデンサ、２…素体、３，２３，４３…端子電極、４，２４，４４…接地電極、５…誘電体層、６，２６，４６…信号用内部電極、７，２７，４７…接地用内部電極、１１Ａ，３１Ａ，５１Ａ…第１主電極部、１１Ｂ，３１Ｂ，５１Ｂ…第２主電極部、１２Ａ，３２Ａ，５２Ａ…第１引出部、１２Ａ１，５２Ａ１…第１の部分、１２Ａ２，５２Ａ２…第２の部分、１２Ｂ，３２Ｂ，５２Ｂ…第２引出部、１２Ｂ１，５２Ｂ１…第１の部分、１２Ｂ２，５２Ｂ２…第２の部分、１３Ａ，３３Ａ，５３Ａ…第１連結部、１３Ｂ，３３Ｂ，５３Ｂ…第２連結部。
【図１】
2013008842.tif 000003
【図２】
2013008842.tif 000004
【図３】
2013008842.tif 000005
【図４】
2013008842.tif 000006
【図５】
2013008842.tif 000007
【図６】
2013008842.tif 000008
【図７】
2013008842.tif 000009